(57)【要約】【課題】低消費電力で歪補償特性を確保することが可能な歪補償回路を提供する。【解決手段】同軸ケーブル１０４を経由して接続した局舎内ユニット１００Ａと局舎外ユニット１００Ｂとのそれぞれにデジタル歪補償部１０２、歪補償データ保持部１０３とデジタル歪補償部１０５、歪補償データ保持部１０６とを備え、初期設定発生時、温度変化時、信号出力レベル変化時、信号周波数変化時には、デジタル歪補償部１０２と歪補償データ保持部１０３との動作を停止させて、デジタル歪補償部１０５と歪補償データ保持部１０６とを動作させ、一方、初期設定終了後の安定状態に移行した際に、歪補償データ保持部１０６に保持している歪補償データを、歪補償データ保持部１０３にコピーして保持させた後、デジタル歪補償部１０５と歪補償データ保持部１０６との動作を停止させて、デジタル歪補償部１０２と歪補償データ保持部１０３とを動作させる状態に切り替える。【選択図】図１
2019208115.tif 000002
【特許請求の範囲】
【請求項１】
局舎内ユニットとアンテナ接続用の局舎外ユニットとをケーブルで接続してなり、送信信号の歪補償を行い、
前記局舎内ユニットと前記局舎外ユニットとの双方は、デジタル歪補償部と歪補償データ保持部とをそれぞれの内部に有し、
初期設定発生時、または、温度変化、送信信号出力レベル変化、送信信号周波数変化のいずれかがあらかじめ定めたそれぞれの閾値を超えた時には、
前記局舎内ユニット内の前記デジタル歪補償部と前記歪補償データ保持部との動作を停止させて、前記局舎外ユニット内の前記デジタル歪補償部と前記歪補償データ保持部とを動作させて送信信号の歪補償を行う状態に設定し、
一方、初期設定終了後であって、温度、送信信号出力レベル、送信信号周波数のいずれの変化もそれぞれの前記閾値を超えない安定状態に移行したことを検知した時に、
前記局舎外ユニット内の前記歪補償データ保持部に保持している歪補償データを、前記ケーブルを経由して、前記局舎内ユニット内の前記歪補償データ保持部にコピーして保持させた後、
前記局舎外ユニット内の前記デジタル歪補償部と前記歪補償データ保持部との動作を停止させて、前記局舎内ユニット内の前記デジタル歪補償部と前記歪補償データ保持部とを動作させて送信信号の歪補償を行う状態に切り替える
ことを特徴とする歪補償回路。
【請求項２】
前記局舎内ユニット内の前記デジタル歪補償部は、オープンループで制御され、前記局舎外ユニット内の前記デジタル歪補償部は、フィードバックループで制御されることを特徴とする請求項１に記載の歪補償回路。
【請求項３】
前記局舎外ユニット内の前記デジタル歪補償部と前記歪補償データ保持部との動作を停止させて、前記局舎内ユニット内の前記デジタル歪補償部と前記歪補償データ保持部とを動作させる状態に切り替える際に、あらかじめ定めた時間が経過する間に徐々に切り替えることを特徴とする請求項１または２に記載の歪補償回路。
【請求項４】
前記局舎内ユニット内に、前記デジタル歪補償部と前記歪補償データ保持部との他に、第２ポートとして、前記局舎外ユニットとは別個に設置した第２局舎外ユニットと第２ケーブルを経由して接続する第２デジタル歪補償部と第２歪補償データ保持部とをさらに有して構成した場合、
前記第２局舎外ユニット内には、デジタル歪補償用の機能を備えることなく、歪補償データを保持する第２歪補償データ保持部を備え、
前記第２ポートに関し、初期設定発生時、または、温度変化、送信信号出力レベル変化、送信信号周波数変化のいずれかがそれぞれの前記閾値を超えた時には、
前記局舎外ユニット内の前記歪補償データ保持部に保持された歪補償データを、前記ケーブルおよび前記第２ケーブルを経由して、前記第２局舎外ユニット内の前記第２歪補償データ保持部にコピーして保持させた後、
前記局舎内ユニット内の前記第２デジタル歪補償部と前記第２歪補償データ保持部との動作を停止させて、前記第２局舎外ユニット内の前記第２歪補償データ保持部を動作させた状態に設定し、
一方、前記第２ポートに関し、初期設定終了後であって、温度、送信信号出力レベル、送信信号周波数のいずれの変化もそれぞれの前記閾値を超えない安定状態に移行したことを検知した時に、
前記第２局舎外ユニット内の前記歪補償データ保持部に保持している歪補償データを、前記第２ケーブルを経由して、前記局舎内ユニット内の前記第２歪補償データ保持部にコピーして保持させた後、
前記第２局舎外ユニット内の前記第２歪補償データ保持部の動作を停止させて、前記局舎内ユニット内の前記第２デジタル歪補償部と前記第２歪補償データ保持部とを動作させて送信信号の歪補償を行う状態に切り替える
ことを特徴とする請求項１ないし３のいずれかに記載の歪補償回路。
【請求項５】
ケーブルを経由して接続した局舎内ユニットと局舎外ユニットとの双方は、デジタル歪補償ステップと歪補償データ保持ステップとをそれぞれの内部に有し、
初期設定発生時、または、温度変化、送信信号出力レベル変化、送信信号周波数変化のいずれかがあらかじめ定めたそれぞれの閾値を超えた時には、
前記局舎内ユニット内の前記デジタル歪補償ステップと前記歪補償データ保持ステップとの動作を停止させて、前記局舎外ユニット内の前記デジタル歪補償ステップと前記歪補償データ保持ステップとを動作させて送信信号の歪補償を行う状態に設定し、
一方、初期設定終了後であって、温度、送信信号出力レベル、送信信号周波数のいずれの変化もそれぞれの前記閾値を超えない安定状態に移行したことを検知した時に、
前記局舎外ユニット内の前記歪補償データ保持ステップにて保持している歪補償データを、前記ケーブルを経由して、前記局舎内ユニット内の前記歪補償データ保持ステップにてコピーして保持させた後、
前記局舎外ユニット内の前記デジタル歪補償ステップと前記歪補償データ保持ステップとの動作を停止させて、前記局舎内ユニット内の前記デジタル歪補償ステップと前記歪補償データ保持ステップとを動作させて送信信号の歪補償を行う状態に切り替える
ことを特徴とする歪補償方法。
【請求項６】
前記局舎内ユニット内の前記デジタル歪補償ステップは、オープンループで制御され、前記局舎外ユニット内の前記デジタル歪補償ステップは、フィードバックループで制御されることを特徴とする請求項５に記載の歪補償方法。
【請求項７】
前記局舎外ユニット内の前記デジタル歪補償ステップと前記歪補償データ保持ステップとの動作を停止させて、前記局舎内ユニット内の前記デジタル歪補償ステップと前記歪補償データ保持ステップとを動作させる状態に切り替える際に、あらかじめ定めた時間が経過する間に徐々に切り替えることを特徴とする請求項５または６に記載の歪補償方法。
【請求項８】
前記局舎内ユニット内に、前記デジタル歪補償ステップと前記歪補償データ保持ステップとの他に、第２ポートとして、前記局舎外ユニットとは別個に設置した第２局舎外ユニットと第２ケーブルを経由して接続するための第２デジタル歪補償ステップと第２歪補償データ保持ステップとをさらに有して構成した場合、
前記第２局舎外ユニット内には、デジタル歪補償用の機能を有することなく、前記第２ポートに関する歪補償データを保持する第２歪補償データ保持ステップを有し、
前記第２ポートに関し、初期設定発生時、または、温度変化、送信信号出力レベル変化、送信信号周波数変化のいずれかがそれぞれの前記閾値を超えた時には、
前記局舎外ユニット内の前記歪補償データ保持ステップにて保持された歪補償データを、前記ケーブルおよび前記第２ケーブルを経由して、前記第２局舎外ユニット内の前記第２歪補償データ保持ステップにてコピーして保持させた後、
前記局舎内ユニット内の前記第２デジタル歪補償ステップと前記第２歪補償データ保持ステップとの動作を停止させて、前記第２局舎外ユニット内の前記第２歪補償データ保持ステップを動作させて送信信号の歪補償を行う状態に設定し、
一方、前記第２ポートに関し、初期設定終了後であって、温度、送信信号出力レベル、送信信号周波数のいずれの変化もそれぞれの前記閾値を超えない安定状態に移行したことを検知した時に、
前記第２局舎外ユニット内の前記歪補償データ保持ステップにて保持している歪補償データを、前記第２ケーブルを経由して、前記局舎内ユニット内の前記第２歪補償データ保持ステップにてコピーして保持させた後、
前記第２局舎外ユニット内の前記第２歪補償データ保持ステップの動作を停止させて、前記局舎内ユニット内の前記第２デジタル歪補償ステップと前記第２歪補償データ保持ステップとを動作させて送信信号の歪補償を行う状態に切り替える
ことを特徴とする請求項５ないし７のいずれかに記載の歪補償方法。
【請求項９】
無線基地局と無線回線を介して接続する無線装置において、送信信号の歪補償を行う歪補償回路として、請求項１ないし４のいずれかに記載の歪補償回路を搭載して構成することを特徴とする無線装置。
【発明の詳細な説明】
【技術分野】
【０００１】
本発明は、低消費電力で歪補償特性を確保することが可能な歪補償回路、歪補償方法および無線装置に関する。
【背景技術】
【０００２】
無線基地局とコアネットワークとを接続するモバイルバックホール用の無線装置は、通常、スプリット型無線装置として、局舎内に設置される局舎内ユニット（ＩＤＵ）（In−Door  Unit）と、アンテナ接続のためにタワーに設置される局舎外ユニット（ＯＤＵ）（Out−Door  Unit）とから構成される。ＩＤＵ・ＯＤＵの両ユニットは、１本の同軸ケーブルで接続されて、データ信号・制御信号・電源ＤＣ等がユニット間で授受される。これらの信号は、一般に、数百ＭＨｚ以下の周波数帯であって、ＩＤＵ・ＯＤＵ内蔵のマルチプレクサにより周波数多重化される。なお、ＲＦ信号周波数としては、６〜４２ＧＨｚのいずれかの周波数帯を使用する。
【０００３】
近年、かくのごときモバイルバックホール用の無線装置においては、電波伝搬環境状況に適応した通信を行うために、幅広い変調方式への対応がトレンドとなっている。例えば、最新の無線装置は、ＱＰＳＫ（Quadrature  Phase  Shift  Keying）〜４ｋＱＡＭ（Quadrature  Amplitude  Modulation）に幅広く対応する。かくのごときＱＰＳＫ〜４ｋＱＡＭ対応の無線装置を実現するために、重要な機能の一つが、送信歪補償である。
【０００４】
具体的には、特許文献１の特開２０１４−２２５７５０号公報「通信装置、通信方法、送信装置および受信装置」等にも記載されているように、モバイルバックホール用の無線装置に搭載する歪補償技術としては、デジタル歪補償（ＤＰＤ：Digital  Pre−Distortion）技術が現在広く利用されている。デジタル歪補償（ＤＰＤ）技術による歪補償能力が優れていれば、低多値変調（例えば、＜１２８ＱＡＭ）の場合は、スペクトラムマスク規格リミットを、また、高多値変調（例えば、２ｋＱＡＭ〜４ｋＱＡＭ）の場合は、Ｓ／Ｎ（Signal‐to‐Noise  Ratio）リミットを、満足させながら高出力化することができる。
【先行技術文献】
【特許文献】
【０００５】
【特許文献１】特開２０１４−２２５７５０号公報
【発明の概要】
【発明が解決しようとする課題】
【０００６】
現状のデジタル歪補償技術として、
（１）局舎内ユニット（ＩＤＵ）内のオープンループ型のデジタル歪補償部（ＤＰＤ）を用いる構成と、
（２）局舎外ユニット（ＯＤＵ）内のフィードバックループ型のデジタル歪補償部（ＤＰＤ）を用いる構成と
がある。
【０００７】
（１）の構成の場合は、局舎外ユニット（ＯＤＵ）内にあらかじめ保持した歪補償データを、局舎内ユニット（ＩＤＵ）内のデジタル歪補償部（ＤＰＤ）の歪補償データとして用いる。局舎外ユニット（ＯＤＵ）内の回路構成が単純になるので、消費電力を低減することができるものの、デジタル歪補償部（ＤＰＤ）がオープンループ制御である。デジタル歪補償部（ＤＰＤ）がオープンループ制御であると、温度・送信出力レベル・ＲＦ周波数の変化により局舎外ユニット（ＯＤＵ）の歪特性が変化した場合、歪補償が最適にはならず、前述のスペクトラムマスク規格リミットやＳ／Ｎリミットを満足することができなくなる場合がある。また、歪補償データを取得するために、局舎外ユニット（ＯＤＵ）の出荷前の事前調整工程が必要となってしまう。
【０００８】
一方、（２）の構成の場合は、デジタル歪補償部（ＤＰＤ）がフィードバックループ制御であるので、局舎外ユニット（ＯＤＵ）の歪特性が変化したとしても、歪補償データを更新して最適な歪補償を実現することができる。しかし、局舎外ユニット（ＯＤＵ）の回路構成が複雑であり、使用電力量も多くなるので、常時、局舎外ユニットを使用する形態の場合、（１）の構成に比べて、消費電力が増加する。
【０００９】
（本開示の目的）
本開示の目的は、かかる事情に鑑み、低消費電力で歪補償特性を確保することが可能な歪補償回路、歪補償方法および無線装置を提供することにある。
【課題を解決するための手段】
【００１０】
前述の課題を解決するため、本発明による歪補償回路、歪補償方法および無線装置は、主に、次のような特徴的な構成を採用している。
【００１１】
（１）本発明による歪補償回路は、
局舎内ユニットとアンテナ接続用の局舎外ユニットとをケーブルで接続してなり、送信信号の歪補償を行い、
前記局舎内ユニットと前記局舎外ユニットとの双方は、デジタル歪補償部と歪補償データ保持部とをそれぞれの内部に有し、
初期設定発生時、または、温度変化、送信信号出力レベル変化、送信信号周波数変化のいずれかがあらかじめ定めたそれぞれの閾値を超えた時には、
前記局舎内ユニット内の前記デジタル歪補償部と前記歪補償データ保持部との動作を停止させて、前記局舎外ユニット内の前記デジタル歪補償部と前記歪補償データ保持部とを動作させて送信信号の歪補償を行う状態に設定し、
一方、初期設定終了後であって、温度、送信信号出力レベル、送信信号周波数のいずれの変化もそれぞれの前記閾値を超えない安定状態に移行したことを検知した時に、
前記局舎外ユニット内の前記歪補償データ保持部に保持している歪補償データを、前記ケーブルを経由して、前記局舎内ユニット内の前記歪補償データ保持部にコピーして保持させた後、
前記局舎外ユニット内の前記デジタル歪補償部と前記歪補償データ保持部との動作を停止させて、前記局舎内ユニット内の前記デジタル歪補償部と前記歪補償データ保持部とを動作させて送信信号の歪補償を行う状態に切り替える
ことを特徴とする。
【００１２】
（２）本発明による歪補償方法は、
ケーブルを経由して接続した局舎内ユニットと局舎外ユニットとの双方は、デジタル歪補償ステップと歪補償データ保持ステップとをそれぞれの内部に有し、
初期設定発生時、または、温度変化、送信信号出力レベル変化、送信信号周波数変化のいずれかがあらかじめ定めたそれぞれの閾値を超えた時には、
前記局舎内ユニット内の前記デジタル歪補償ステップと前記歪補償データ保持ステップとの動作を停止させて、前記局舎外ユニット内の前記デジタル歪補償ステップと前記歪補償データ保持ステップとを動作させて送信信号の歪補償を行う状態に設定し、
一方、初期設定終了後であって、温度、送信信号出力レベル、送信信号周波数のいずれの変化もそれぞれの前記閾値を超えない安定状態に移行したことを検知した時に、
前記局舎外ユニット内の前記歪補償データ保持ステップにて保持している歪補償データを、前記ケーブルを経由して、前記局舎内ユニット内の前記歪補償データ保持ステップにてコピーして保持させた後、
前記局舎外ユニット内の前記デジタル歪補償ステップと前記歪補償データ保持ステップとの動作を停止させて、前記局舎内ユニット内の前記デジタル歪補償ステップと前記歪補償データ保持ステップとを動作させて送信信号の歪補償を行う状態に切り替える
ことを特徴とする。
【００１３】
（３）本発明による無線装置は、無線基地局と無線回線を介して接続する無線装置において、送信信号の歪補償を行う歪補償回路として、前記（１）に記載の歪補償回路を搭載して構成することを特徴とする。
【発明の効果】
【００１４】
本発明の歪補償回路、歪補償方法および無線装置によれば、主に、以下のような効果を奏することができる。
【００１５】
すなわち、ユニット立ち上げ（初期設定）、温度変化、送信出力レベル変化、周波数変化が生じたことを契機にして、動作モードを切り替えて、局舎内ユニット内のデジタル歪補償部および歪補償データ保持部と局舎外ユニット内のデジタル歪補償部および歪補償データ保持部とのインタリーブ動作を行うので、低消費電力化を図るとともに、高い歪補償を実現することが可能である。
【図面の簡単な説明】
【００１６】
【図１】本発明の実施形態に係る歪補償回路の内部構成例を示すブロック構成図である。
【図２】図１に示した歪補償回路の局舎内ユニット（ＩＤＵ）内のデジタル歪補償部（ＤＰＤ）と局舎外ユニット（ＯＤＵ）内のデジタル歪補償部（ＤＰＤ）とのインタリーブ動作を説明するための説明図である。
【図３】図１に示した歪補償回路の動作の一例を示すフローチャートである。
【図４】本発明の図１とは異なる他の実施形態に係る歪補償回路の内部構成例を示すブロック構成図である。
【発明を実施するための形態】
【００１７】
以下、本発明による歪補償回路、歪補償方法および無線装置の好適な実施形態について添付図を参照して説明する。なお、以下の説明においては、本発明による歪補償回路および歪補償方法について説明するが、無線基地局と無線回線を介して接続する無線装置において、送信信号の歪補償を行う歪補償回路として、かかる歪補償回路を搭載して構成することも可能であることは言うまでもない。また、以下の各図面に付した図面参照符号は、理解を助けるための一例として各要素に便宜上付記したものであり、本発明を図示の態様に限定することを意図するものではないことも言うまでもない。
【００１８】
（本発明の特徴）
本発明の実施形態の説明に先立って、本発明の特徴についてその概要をまず説明する。本発明は、スプリット型無線装置用の送信信号の歪補償を行う歪補償回路において、局舎内ユニット（ＩＤＵ）（In−Door  Unit）と局舎外ユニット（ＯＤＵ）（Out−Door  Unit）とのそれぞれの内部に備えたデジタル歪補償（ＤＰＤ：Digital  Pre−Distortion）回路を適応的にインタリーブ動作させることを主要な特徴としている。つまり、本発明は、局舎外ユニット（ＯＤＵ）−局舎内ユニット（ＩＤＵ）間で歪補償データを転送する手段と、初期設定（ユニット立ち上げ）の発生時や、あるいは、温度・出力レベル・周波数の変化のいずれかがあらかじめ定めたそれぞれの閾値を超えた際に、局舎外ユニット（ＯＤＵ）内のデジタル歪補償部（ＤＰＤ）と局舎内ユニット（ＩＤＵ）内のデジタル歪補償部（ＤＰＤ）とを切り替えて動作させる手段とを備えて構成されることを主要な特徴としている。而して、消費電力を低減することが可能で、かつ、的確な歪補償を実現することが可能な歪補償回路を実現することができる。
【００１９】
（本発明の実施形態の構成例）
次に、本発明の実施形態に係る歪補償回路の構成例について図面を参照しながら詳細に説明する。図１は、本発明の実施形態に係る歪補償回路の内部構成例を示すブロック構成図である。図１に示す歪補償回路１００において、同軸ケーブル１０４に対して、右側ブロックが局舎内に設置される局舎内ユニット（ＩＤＵ）１００Ａであり、左側ブロックがアンテナ接続のために局舎外に設置される局舎外ユニット（ＯＤＵ）１００Ｂである。局舎内ユニット（ＩＤＵ）１００Ａは、ＣＰＵ（Central  Processing  Unit）１０１、デジタル歪補償部（ＤＰＤ）１０２、歪補償データ保持部（ＬＵＴ：Look  Up  Table）１０３を少なくとも備え、局舎外ユニット（ＯＤＵ）１００Ｂは、デジタル歪補償部（ＤＰＤ）１０５、歪補償データ保持部（ＬＵＴ）１０６、周波数アップコンバータ１０７、周波数ダウンコンバータ１０８、パワーアンプ１０９を少なくとも備えている。
【００２０】
ここで、局舎内ユニット（ＩＤＵ）１００Ａ内のデジタル歪補償部（ＤＰＤ）１０２は、オープンループで制御され、局舎外ユニット（ＯＤＵ）１００Ｂ内のデジタル歪補償部（ＤＰＤ）１０５は、フィードバックループで制御される。
【００２１】
図１に黒矢印線にて示すように、局舎外ユニット（ＯＤＵ）１００Ｂからアンテナに向かって出力される送信信号は、局舎内ユニット（ＩＤＵ）１００Ａ内のデジタル歪補償部（ＤＰＤ）１０２から、同軸ケーブル１０４を経由して、局舎外ユニット（ＯＤＵ）１００Ｂへ入力された後、デジタル歪補償部（ＤＰＤ）１０５を経由して周波数アップコンバータ１０７によってＲＦ信号周波数へ変換されて、パワーアンプ１０９から送信アンテナに向かって出力される。さらに、該ＲＦ信号周波数の信号は、周波数ダウンコンバータ１０８によって低い周波数に変換されて、フィードバック制御用として、局舎外ユニット（ＯＤＵ）１００Ｂ内のデジタル歪補償部（ＤＰＤ）１０５に入力される。
【００２２】
また、図１に白抜き矢印線にて示すように、局舎内ユニット（ＩＤＵ）１００Ａ内のＣＰＵ１０１により、局舎内ユニット（ＩＤＵ）１００Ａ内のデジタル歪補償部（ＤＰＤ）１０２および歪補償データ保持部１０３が制御され、さらに、同軸ケーブル１０４を経由して、局舎外ユニット（ＯＤＵ）１００Ｂ内のデジタル歪補償部（ＤＰＤ）１０５および歪補償データ保持部１０６が制御される。
【００２３】
（本発明の実施形態の動作の説明）
次に、本発明の実施形態の一例として図１に示した歪補償回路１００の動作についてその一例を、図面を参照しながら詳細に説明する。図２は、図１に示した歪補償回路１００の局舎内ユニット（ＩＤＵ）１００Ａ内のデジタル歪補償部（ＤＰＤ）１０２と局舎外ユニット（ＯＤＵ）１００Ｂ内のデジタル歪補償部（ＤＰＤ）１０５とのインタリーブ動作を説明するための説明図である。図２（Ａ）は、ユニットインストール（Ｂｏｏｔ：立ち上げ）時すなわちユニット初期設定時、および、温度変化、送信出力レベル変化、新進周波数変化のいずれかがそれぞれにてあらかじめ定めた閾値を超えた時のみ動作するモードＡ（Ｍｏｄｅ−Ａ）を示し、図２（Ｂ）は、ユニット初期設定以降であって、温度変化、送信出力レベル変化、新進周波数変化のいずれもそれぞれの前記閾値を超えない安定状態（Steady  State）において動作するモードＢ（Ｍｏｄｅ−Ｂ）を示している。なお、図２において灰色で塗りつぶしたブロックは動作を停止している状態を示している。
【００２４】
図２（Ａ）に示すモードＡ（Ｍｏｄｅ−Ａ）においては、局舎外ユニット（ＯＤＵ）１００Ｂ内のデジタル歪補償部（ＤＰＤ）１０５および歪補償データ保持部１０６を動作させ、図２（Ａ）に灰色で塗りつぶしているように、局舎内ユニット（ＩＤＵ）１００Ａ内のデジタル歪補償部（ＤＰＤ）１０２および歪補償データ保持部１０３の動作を停止させた状態に設定される。一方、図２（Ｂ）に示すモードＢ（Ｍｏｄｅ−Ｂ）においては、局舎内ユニット（ＩＤＵ）１００Ａ内のデジタル歪補償部（ＤＰＤ）１０２および歪補償データ保持部１０３を動作させ、図２（Ｂ）に灰色で塗りつぶしているように、局舎外ユニット（ＯＤＵ）１００Ｂ内のデジタル歪補償部（ＤＰＤ）１０５および歪補償データ保持部１０６、さらに、周波数ダウンコンバータ１０８の動作を停止させた状態に設定される。
【００２５】
次に、図３のフローチャートを参照しながら、図１の歪補償回路１００の動作の一例を説明する。図３は、図１に示した歪補償回路１００の動作の一例を示すフローチャートである。
【００２６】
図３のフローチャートにおいて、まず、初期設定時に、送信信号の周波数および送信出力レベルを設定すると（ステップＳ１）、局舎外ユニット（ＯＤＵ）１００Ｂ内の歪補償データ保持部１０６に歪補償データが保持されているか否かを確認する（ステップＳ２）。保持されていなかった場合には（ステップＳ２のＮＯ）、図２に示したモードＢ（Ｍｏｄｅ−Ｂ）からモードＡ（Ｍｏｄｅ−Ａ）に切り替えて（ステップＳ３）、局舎外ユニット（ＯＤＵ）１００Ｂ内のデジタル歪補償部（ＤＰＤ）１０５および歪補償データ保持部１０６を動作させることにより、局舎外ユニット（ＯＤＵ）１００Ｂ内の歪補償データ保持部１０６に保持すべき歪補償データを更新する状態に設定して、ステップＳ２の動作に復帰する。
【００２７】
局舎外ユニット（ＯＤＵ）１００Ｂ内の歪補償データ保持部１０６に保持すべき歪補償データが更新されて、歪補償データ保持部１０６に的確な歪補償データが保持された状態になると（ステップＳ２のＹＥＳ）、歪補償データ保持部１０６に保持された歪補償データを、同軸ケーブル１０４を経由して、局舎内ユニット（ＩＤＵ）１００Ａに転送する。そして、転送されてきた歪補償データを局舎内ユニット（ＩＤＵ）１００Ａ内の歪補償データ保持部１０３にコピーして保持させた後、動作モードを、図２に示したモードＡ（Ｍｏｄｅ−Ａ）からモードＢ（Ｍｏｄｅ−Ｂ）に切り替える（ステップＳ４）。すなわち、局舎外ユニット（ＯＤＵ）１００Ｂ内のデジタル歪補償部（ＤＰＤ）１０５および歪補償データ保持部１０６、さらに、周波数ダウンコンバータ１０８の動作を停止させて、局舎内ユニット（ＩＤＵ）１００Ａ内のデジタル歪補償部（ＤＰＤ）１０２および歪補償データ保持部１０３を動作させる状態に移行する。
【００２８】
なお、モードＡ（Ｍｏｄｅ−Ａ）からモードＢ（Ｍｏｄｅ−Ｂ）への切り替えは、瞬時に切り替えるようにしても良いし、（グリッチ(glitch  noise)波形を発生させないように、）あらかじめ定めた時間が経過する間に徐々に切り替えるようにしても良い。
【００２９】
モードＢ（Ｍｏｄｅ−Ｂ）に切り替えると、以降、歪補償回路１００の温度が、モードＢ（Ｍｏｄｅ−Ｂ）による動作開始時の温度からあらかじめ定めた閾値（例えば１０℃）を超えて変化したか否かを監視する（ステップＳ５）。歪補償回路１００の温度が、該閾値を超えて変化していなかった場合には（ステップＳ５のＮＯ）、モードＢ（Ｍｏｄｅ−Ｂ）の動作をそのまま継続するとともに（ステップＳ６）、ステップＳ５に復帰して、温度変化の監視を継続する。一方、歪補償回路１００の温度が、該閾値を超えて変化した場合には（ステップＳ５のＹＥＳ）、ステップＳ３に移行して、図２に示したモードＢ（Ｍｏｄｅ−Ｂ）からモードＡ（Ｍｏｄｅ−Ａ）に切り替えて、局舎外ユニット（ＯＤＵ）１００Ｂ内の歪補償データ保持部１０６に保持すべき歪補償データを再度更新する状態に設定する。なお、ステップＳ４にてモードＢ（Ｍｏｄｅ−Ｂ）に切り替えた以降において、送信信号周波数や送信信号出力レベルの変化があらかじめ定めたそれぞれの閾値を超えたために、送信信号周波数や送信信号出力レベルを変更して設定し直す必要が生じた場合には、さらに、局舎外ユニット（ＯＤＵ）内の歪補償データ保持部１０６に保持すべき歪補償データの更新が必要になる状態に設定して、先頭のステップＳ１に戻って再設定する。
【００３０】
（本発明の実施形態の効果の説明）
以上に詳細に説明したように、本実施形態においては、歪補償回路１００は、ユニット立ち上げ（すなわちユニット初期設定）が発生したことや、あるいは、温度変化、送信出力レベル・周波数変化のいずれかがあらかじめ定めたそれぞれの閾値を超えたことを契機にして、動作モードを切り替えて、局舎内ユニット（ＩＤＵ）１００Ａ内のデジタル歪補償部（ＤＰＤ）１０２と局舎外ユニット（ＯＤＵ）１００Ｂ内のデジタル歪補償部（ＤＰＤ）１０５とのインタリーブ動作を行うので、低消費電力化を可能にするとともに、高い歪補償を実現することを可能にしている。
【００３１】
（本発明の他の実施形態）
図４は、本発明の図１とは異なる他の実施形態に係る歪補償回路の内部構成例を示すブロック構成図である。図４に示す歪補償回路２００は、図１に示した歪補償回路１００の構成に加えて、図１の局舎内ユニット（ＩＤＵ）１００Ａの他のポートに、デジタル歪補償部（ＤＰＤ）を保有しない第２局舎外ユニット（ＯＤＵ）が接続されている。
【００３２】
すなわち、図４に示す歪補償回路２００の局舎内ユニット（ＩＤＵ）は、図１の局舎内ユニット（ＩＤＵ）１００Ａとは異なり、複数のポート例えば図４の場合は２つのポート（すなわち、第１ポートに関するデジタル歪補償部（ＤＰＤ）１０２および歪補償データ保持部１０３と第２ポートに関する第２デジタル歪補償部（ＤＰＤ）１０２ａおよび第２歪補償データ保持部１０３ａとの２組）を設けた第２局舎内ユニット（ＩＤＵ）１００Ａａとして構成している。
【００３３】
そして、第２局舎内ユニット（ＩＤＵ）１００Ａａの第１ポート（デジタル歪補償部（ＤＰＤ）１０２および歪補償データ保持部１０３）には、図１と同様、デジタル歪補償部（ＤＰＤ）１０２に対して、同軸ケーブル１０４を経由して、図１と同様の局舎外ユニット（ＯＤＵ）１００Ｂが接続される。
【００３４】
また、第２局舎内ユニット（ＩＤＵ）１００Ａａの第２ポート（第２デジタル歪補償部（ＤＰＤ）１０２ａおよび第２歪補償データ保持部１０３ａ）には、該第２デジタル歪補償部（ＤＰＤ）１０２ａに対して、第２同軸ケーブル１０４ａを経由して、局舎外ユニット（ＯＤＵ）１００Ｂとは別個の第２局舎外ユニット（ＯＤＵ）１００Ｂａが接続される。
【００３５】
ここで、第２局舎外ユニット（ＯＤＵ）１００Ｂａは、図１の局舎外ユニット（ＯＤＵ）１００Ｂとは異なり、第２歪補償データ保持部１０６ａ、第２周波数アップコンバータ１０７ａ、第２パワーアンプ１０９ａによって構成し、フィードバックループ制御による歪補償機能を備えない構成として、第２デジタル歪補償部（ＤＰＤ）および第２周波数ダウンコンバータを設置しない構成としている。
【００３６】
そして、図４の歪補償回路２００においては、温度変化により、第２局舎外ユニット（ＯＤＵ）１００Ｂａの歪特性が変化した場合には、局舎外ユニット（ＯＤＵ）１００Ｂ内の歪補償データ保持部１０６における歪補償データの温度特性変化を第２局舎外ユニット（ＯＤＵ）１００Ｂａ内の第２歪補償データ保持部１０６ａにおける歪補償データに反映する。また、送信信号の周波数の変化や送信信号の出力レベルの変化があった場合にも、温度変化の場合と同様、第２歪補償データ保持部１０６ａにおける歪補償データの再設定動作を行う。
【００３７】
すなわち、第２ポートに関し、初期設定発生時、あるいは、温度変化、送信信号出力レベル変化、送信信号周波数変化のいずれかがあらかじめ定めたそれぞれの閾値を超えた際には、局舎外ユニット（ＯＤＵ）１００Ｂ内の歪補償データ保持部１０６に保持された歪補償データを、同軸ケーブル１０４および第２同軸ケーブル１０４ａを経由して、第２局舎外ユニット（ＯＤＵ）１００Ｂａ内の第２歪補償データ保持部１０６ａにコピーして保持させる。
【００３８】
そして、第２局舎内ユニット（ＩＤＵ）１００Ａａ内の第２デジタル歪補償部（ＤＰＤ）１０２ａと第２歪補償データ保持部１０３ａとの動作を停止させて、第２局舎外ユニット（ＯＤＵ）１００Ｂａ内の第２歪補償データ保持部１０６ａを動作させた状態に設定し、かかる状態を、歪補償回路２００の第２ポートが安定状態に達するまで継続する。
【００３９】
一方、第２ポートに関し、初期設定終了後であって、温度、送信信号出力レベル、送信信号周波数のいずれの変化もそれぞれの前記閾値を超えない安定状態に移行したことを検知した際に、第２局舎外ユニット（ＯＤＵ）１００Ｂａ内の歪補償データ保持部１０６ａに保持している歪補償データを、第２同軸ケーブル１０４ａを経由して、第２局舎内ユニット（ＩＤＵ）１００Ａａ内の第２歪補償データ保持部１０３ａにコピーして保持させる。
【００４０】
しかる後、第２局舎外ユニット（ＯＤＵ）内の第２歪補償データ保持部１０６ａの動作を停止させて、第２局舎内ユニット（ＩＤＵ）１００Ａａ内の第２デジタル歪補償部（ＤＰＤ）１０２ａと第２歪補償データ保持部１０３ａとを動作させて送信信号の歪補償を行う状態に切り替える。
【００４１】
図４の歪補償回路２００において、かくのごとき歪補償データの反映方法を用いることによって、第２デジタル歪補償部（ＤＰＤ）を設置していない第２局舎外ユニット（ＯＤＵ）１００Ｂａのような構成であっても、最適な歪補償を行うことが可能になり、さらなる低消費電力化を図り、かつ、コスト低減を図ることが可能になる。
【００４２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４３】
１００      歪補償回路
１００Ａ    局舎内ユニット（ＩＤＵ）
１００Ａａ  第２局舎内ユニット（ＩＤＵ）
１００Ｂ    局舎外ユニット（ＯＤＵ）
１００Ｂａ  第２局舎外ユニット（ＯＤＵ）
１０１      ＣＰＵ（局舎内ユニット（ＩＤＵ）内）
１０２      デジタル歪補償部（ＤＰＤ）（局舎内ユニット（ＩＤＵ）内）
１０２ａ    第２デジタル歪補償部（ＤＰＤ）（第２局舎内ユニット（ＩＤＵ）内）
１０３      歪補償データ保持部（局舎内ユニット（ＩＤＵ）内）
１０３ａ    第２歪補償データ保持部（第２局舎内ユニット（ＩＤＵ）内）
１０４      同軸ケーブル
１０４ａ    第２同軸ケーブル
１０５      デジタル歪補償部（ＤＰＤ）（局舎外ユニット（ＯＤＵ）内）
１０６      歪補償データ保持部（局舎外ユニット（ＯＤＵ）内）
１０６ａ    第２歪補償データ保持部（第２局舎外ユニット（ＯＤＵ）内）
１０７      周波数アップコンバータ（局舎外ユニット（ＯＤＵ）内）
１０７ａ    第２周波数アップコンバータ（第２局舎外ユニット（ＯＤＵ）内）
１０８      周波数ダウンコンバータ（局舎外ユニット（ＯＤＵ）内）
１０９      パワーアンプ（局舎外ユニット（ＯＤＵ）内）
１０９ａ    第２パワーアンプ（第２局舎外ユニット（ＯＤＵ）内）
２００      歪補償回路
【図１】
2019208115.tif 000003
【図２】
2019208115.tif 000004
【図３】
2019208115.tif 000005
【図４】
2019208115.tif 000006